(57)【要約】【課題】使い勝手や清掃性に優れかつシステムキッチンのトータルデザイン性を顕著に高めた組込み型加熱調理器を提供すること。【解決手段】アンダーフレーム４とトップフレーム６は折合部８で全周折り曲げ、かしめられて機械的に固定され、フランジ部７の面をトッププレート５の上面に近い高さまで配設してトップフレーム６との折合部８を形成し、折合部８の下面で誘導加熱調理器１の全重量を支えて、キッチンカウンター９の天面に載置し、外郭フランジ部１０とカウンター開口段差面１１とのギャップを適宜設けて、ガラストップで構成される略調理面とキッチンカウンターの天面との段差が極めて小さく、略同一面をなす構成とすることができる。【選択図】図１
2006300382.tif 000002
【特許請求の範囲】
【請求項１】
内蔵部品を外郭で覆う本体と、前記本体の上面開口を覆って嵌合、固定し、キッチンカウンターの調理面を構成するトッププレートユニットとを備えた組込み型加熱調理器において、前記トッププレートユニットは、アンダーフレームと前記アンダーフレームに載置したトッププレートと前記トッププレートの外周縁を全周覆い隠すように配設した飾り板で構成され前記飾り板の外周縁は、前記トッププレートの外周縁から外方に張り出した前記アンダーフレームのフランジ部の面に沿って挟み込むように折り曲げかしめられた折合部を有し、前記トッププレートユニットの折合部の下面が前記キッチンカウンターの天面に載置される構成において、前記本体上方開口部の４辺に配設された外郭フランジ部と前記キッチンカウンターの段落ち面とのギャップを適宜設け、前記キッチンカウンターの段落ち面が前記外郭フランジ部に当接して前記組込み型加熱調理器を押し上げ、前記トッププレートユニットの折合部の下面が前記キッチンカウンターの天面から浮いて隙間を生じさせないよう構成した組込み型加熱調理器。
【請求項２】
トッププレートユニットの前方にフック部を設け、前記フック部で本体と前記トッププレートユニットを引っ掛けてビス固定し、かつ前記トッププレートユニットの後方で前記本体とビス固定する構成において、本体の下面前方近傍に前記本体の下面からの長さを適宜調節できる支持軸を配設した請求項１に記載の組込み型加熱調理器。
【請求項３】
本体の下面後方に任意の数の支持軸を配設した請求項２に記載の組込み型加熱調理器。
【発明の詳細な説明】
【技術分野】
【０００１】
本発明は、一般家庭のキッチンカウンター内に組み込まれる組込み型加熱調理器に関するものである。
【背景技術】
【０００２】
従来、この種の組込み型加熱調理器は、ＩＨ本体の自重を外郭で支えるようキッチンカウンターの天面に載置する構成として、提供されている（例えば、特許文献１参照）。
【０００３】
図４は、特許文献１に記載された従来の組込み型加熱調理器（誘導加熱調理器）を示すものである。図４に示すように誘導加熱調理器の本体４０は内蔵部品を支える外郭４１で覆われ、外郭４１の上方開口部にトッププレートユニット４２を載置、固定して、外郭４１の上方開口部に沿って鉛直に張り出した外郭フランジ部４３をキッチンカウンター４４に載置して構成されている。ここでトッププレートユニット４２は、トッププレート４５をアンダーフレーム４６とトップフレーム４７で挟み込み、所定の部位を接着固定してアンダーフレーム４６とトップフレーム４７の下面嵌合部位に弾性を有したシール剤４８がアンダーフレーム４６の外周に沿って全周に接着固定され、アンダーフレーム４６の下面よりも突出して構成されている。設置時に外郭フランジ部４３がキッチンカウンター４４に載置されると、トッププレートユニット４２のシール剤４８は所定の寸法だけ圧縮され、キッチンカウンター４４の天面に対してトッププレートユニット４２の下面がシール剤４８の圧縮後の寸法だけ隙間を有して天面に載置される構成となっている。
【特許文献１】特開２０００−１０４９３１号公報
【発明の開示】
【発明が解決しようとする課題】
【０００４】
しかしながら、前記従来の構成では、設置時に本体４０の自重を支えるために外郭フランジ部４３をキッチンカウンター４４の天面に載置し、シール剤４８を圧縮させてキッチンカウンター４４の天面に圧接させる構成なので、アンダーフレーム４６及びトップフレーム４７の下面とキッチンカウンター４４の天面には隙間が生じ、外観上隙間が見える構成となり、埃や調理かすなどが入り汚れが目立ちやすく、また隙間が目立つことで水などの内部侵入に対して実際は問題なくても不安感を生じさせるという課題を有していた。
【０００５】
また従来の組込み型の誘導加熱調理器においてはトッププレートユニット４２の設置時の高さは約１０ｍｍ程度で構成されていたが、本発明のものではその４分の１程度に高さを低減する構成であるため、外観上の隙間があるとさらに目立ちやすく商品性、デザイン性を大きく欠いたものになるという課題を有していた。
【０００６】
本発明は、前記従来の課題を解決するもので、ガラストップで構成される調理面とキッチンカウンターの天面との段差が極めて少なく略同一面をなす構成とすることで、使い勝手や清掃性に優れかつシステムキッチンのトータルデザイン性を顕著に高めた組込み型加熱調理器を提供することを目的とする。
【課題を解決するための手段】
【０００７】
前記従来の課題を解決するために、本発明の組込み型加熱調理器は、図４におけるキッチンカウンター４４に当接するトッププレートユニット４２の下面と上面の厚み寸法を顕著に小さくすることができるよう構成したものである。また同時にトッププレートユニット４２の下面で本体４０の重量を支えるよう構成したものである。
【０００８】
これによって、キッチンカウンター４４の天面とトッププレートユニット４２の上面との段差が顕著に小さくなる方向に働くこととなる。
【０００９】
また設置時にトッププレートユニット４２の下面がキッチンカウンター４４に当接したときに、外郭フランジ部４３はキッチンカウンター４４の天面に連なったカウンター開口段差面と適宜ギャップを有し、トッププレートユニット４２の下面がキッチンカウンター４４の天面から浮いて隙間ができないよう構成したものである。
【００１０】
これによって、トッププレートユニット４２で本体４０の自重を支える構成と外郭フランジ部４３でバックアップする構成を備え、トッププレートユニット４２の下面とキッチンカウンター４４の天面との間に隙間が生じず、外観上商品性・デザイン性を高めるように働くこととなる。
【発明の効果】
【００１１】
本発明の組込み型加熱調理器は、ガラストップで構成される調理面とキッチンカウンターの天面との段差が極めて小さく略同一面をなす構成とすることができ、使い勝手や清掃性に優れかつシステムキッチンのトータルデザイン性を顕著に高めた組込み型加熱調理器を提供することができる。
【発明を実施するための最良の形態】
【００１２】
第１の発明は、内蔵部品を外郭で覆う本体と、前記本体の上面開口を覆って嵌合、固定し、キッチンカウンターの調理面を構成するトッププレートユニットとを備えた組込み型加熱調理器において、前記トッププレートユニットは、アンダーフレームと前記アンダーフレームに載置したトッププレートと前記トッププレートの外周縁を全周覆い隠すように配設した飾り板で構成され前記飾り板の外周縁は、前記トッププレートの外周縁から外方に張り出した前記アンダーフレームのフランジ部の面に沿って挟み込むように折り曲げかしめられた折合部を有し、前記トッププレートユニットの折合部の下面が前記キッチンカウンターの天面に載置される構成において、前記本体上方開口部の４辺に配設された外郭フランジ部と前記キッチンカウンターの段落ち面とのギャップを適宜設け、前記キッチンカウンターの段落ち面が前記外郭フランジ部に当接して前記組込み型加熱調理器を押し上げ、前記トッププレートユニットの折合部の下面が前記キッチンカウンターの天面から浮いて隙間を生じさせないよう構成することにより、キッチンカウンターに設置されたトッププレートと天面とが略同一面のごとく見え、デザイン性に優れ、隙間のない清掃性に優れた調理器を提供することができる。
【００１３】
第２の発明は、特に、第１の発明のトッププレートユニットの前方にフック部を設け、前記フック部で本体と前記トッププレートユニットを引っ掛けてビス固定し、かつ前記トッププレートユニットの後方で前記本体とビス固定する構成において、本体の下面前方近傍に前記本体の下面からの長さを適宜調節できる支持軸を配設した構成とすることにより、本体内部の部品修理や交換などのためのサービス作業において、トッププレートユニットを本体から外しても外郭フランジ部とキッチンカウンターの段落ち面とのギャップ分本体前方が落ち込むことはなく、設置位置がサービス前と変わらず作業でき、作業完了後もと通りトッププレートユニットのフック部を本体に引っ掛けて支障なく本体に載置、固定することができる。またトッププレートユニット後方の固定はギャップ分本体が落ち込んでもビス締め付けによりもとの位置に引き上げることができる。
【００１４】
第３の発明は、特に、第２の発明の本体の下面後方に任意の数の支持軸を配設した構成とすることにより、本体内部の部品修理や交換などのためのサービス作業において、トッププレートユニットを本体から外しても外郭フランジ部とキッチンカウンターの段落ち面とのギャップ分本体全体が落ち込むことはなく、設置位置がサービス前と変わらず作業でき、作業完了後もと通り支障なくトッププレートユニットを本体に載置、固定することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における組込み型の加熱調理器（誘導加熱調理器）の要部断面図を示すものである。
【００１７】
図１において、誘導加熱調理器１は、外郭を構成する本体２と本体２の上面開口を覆うように嵌合して前方を取付フック２ａで、後方をビス２ｂでビス締め固定されるトッププレートユニット３により構成されている。本体２の内部には、鍋を誘導加熱するための誘導加熱装置１ａと、誘導加熱装置１ａをインバーター制御するための制御装置１ｂと内部冷却のための冷却装置１ｃが配設されている。またトッププレートユニット３は、アンダーフレーム４とトッププレート５とトップフレーム６で構成されている。ここでアンダーフレーム４はトッププレート５を載置して、本体２から外方の所定の部位に接着剤を塗布して固定し、トッププレート５の外周縁より外方に全周にわたってフランジ部７が張り出して配設されている。次にトップフレーム６は、トッププレート５の外周縁に沿って塗布された接着剤の上から載置され、アンダーフレーム４のフランジ部７の先端に沿って折り曲げられ、フランジ部７の面との隙間ができないようにかしめて折合部８を構成している。以上のように構成された誘導加熱調理器１は、トッププレートユニット３の下面をキッチンカウンター９の天面に載置して配設され、このとき本体２の上面開口部に沿って張り出した外郭フランジ部１０とキッチンカウンター９のカウンター開口段差面１１とのギャップ０．５ｍｍを確保するように構成されている。
【００１８】
以上のように構成された誘導加熱調理器について、以下その動作、作用を説明する。
【００１９】
まず、誘導加熱調理器１の自重はトッププレートユニット３の下面の折合部８で支えられ、トッププレートユニット３の剛性で強度を確保している。このとき本体２の上面開口部に沿って張り出した外郭フランジ部１０とキッチンカウンター９のカウンター開口段差面１１とのギャップは０．５ｍｍ確保するように構成されているため、トッププレートユニット３の下面がキッチンカウンター９の天面から押し上げられ、浮いて天面との隙間を生じることのないように作用する。また異常な荷重などがトッププレートユニット３にかかり下方に変形しても、外郭フランジ部１０がカウンター開口段差面１１に当接して誘導加熱調理器１の自重を支えるようバックアップして作用する。
【００２０】
以上のように、本発明の実施の形態においては、トッププレートユニットの折合部の下面がキッチンカウンターの天面から浮いて隙間を生じさせないようにしたことにより、使い勝手や清掃性に優れかつシステムキッチンのトータルデザイン性を顕著に高めた組込み型加熱調理器を提供することができる。
【００２１】
なお外郭フランジ部１０とキッチンカウンター９のカウンター開口段差面１１とのギャップは０．５ｍｍとしたが、本発明の効果を有する寸法関係であれば適宜決定できる。
【００２２】
（実施の形態２）
図２は、本発明の第２の実施の形態における組込み型の加熱調理器（誘導加熱調理器）の要部断面図である。なお、本実施の形態２の基本構成は実施の形態１と同様であるので、その同様な部分の説明は省略し、相違点を中心に説明する。また、実施の形態１と同じ機能には同じ符号を付してその説明を省略する。
【００２３】
図２において、本実施の形態の特徴は、実施の形態１の本体２の底面前方にビスを時計回りまたは反時計回りにまわすことで、長さ調整できるネジ部２１を有した前方支持軸２２を配設し、キッチンカウンター９のカウンター底面２３に当接して支持する構成としている点である。
【００２４】
以上のように構成された組込み型の誘導加熱調理器について、以下その動作、作用を説明する。
【００２５】
例えば本体２内部の誘導加熱装置１ａや制御装置１ｂや冷却装置１ｃを修理したり、部品交換したりするときには本体２とトッププレートユニット３を分離する構成であり、前方の取り付けフック２ａのビスを緩め、引っ掛けを外し、かつ後方のビス２ｂを外してトッププレートユニット３を取り外す。このとき本体２の底面前方に配設された前方支持軸２２がカウンター底面２３に当接し、本体２を支持するため外郭フランジ部１０とキッチンカウンター９のカウンター開口段差面１１とのギャップ分、本体２の前方では下方に落ち込むことはなく、サービス完了後トッププレートユニット３を本体２に取り付ける際にも本体２を元の位置まで持ち上げながら取り付けフック２ａを引っ掛けるような手間が要らず、簡単に支障なく、取り付けることができるように作用する。またこのときトッププレートユニット３と本体２は後方において外郭フランジ部１０とカウンター開口段差面１１とのギャップ分隙間を生じているが、ビス２ｂを締め付けることで本体２の落ち込みを引き上げるように作用する。
【００２６】
（実施の形態３）
図３は、本発明の第３の実施の形態における組込み型の加熱調理器（誘導加熱調理器）の要部断面図である。なお、本実施の形態３の基本構成は実施の形態２と同様であるので、その同様な部分の説明は省略し、相違点を中心に説明する。また実施の形態２と同じ機能には同じ符号を付してその説明を省略する。
【００２７】
図３において本実施の形態の特徴は、実施の形態２の本体２の底面後方に前方支持軸２２同様の後方支持軸３１を配設し、キッチンカウンター９のカウンター底面２３に当接して支持する構成としている点である。
【００２８】
以上のように構成された誘導加熱調理器について、以下その動作、作用を説明する。
【００２９】
例えば本体２内部の誘導加熱装置１ａや制御装置１ｂや冷却装置１ｃを修理したり、部品交換したりするときには本体２とトッププレートユニット３を分離する構成であり、前方の取り付けフック２ａのビスを緩め、引っ掛けを外し、かつ後方のビス２ｂを外してトッププレートユニット３を取り外す。このとき本体２の底面前方に配設された前方支持軸２２および底面後方に配設された後方支持軸３１がカウンター底面２３に当接し、本体２を支持するため外郭フランジ部１０とキッチンカウンター９のカウンター開口段差面１１とのギャップ分、本体２が下方に落ち込むことはなく、サービス完了後トッププレートユニット３を本体２に取り付ける際にも本体２を元の位置まで持ち上げながら取り付けフック２ａを引っ掛けるような手間が要らず、簡単に支障なく、取り付けることができる。
【産業上の利用可能性】
【００３０】
以上のように、本発明にかかる組込み型加熱調理器は、調理面もしくは略調理面に耐熱ガラス製のフラットデザインを有した全ての加熱調理器に適用できる。
【図面の簡単な説明】
【００３１】
【図１】本発明の実施の形態１における組込み型加熱調理器の要部断面図
【図２】本発明の実施の形態２における組込み型加熱調理器の要部断面図
【図３】本発明の実施の形態３における組込み型加熱調理器の要部断面図
【図４】従来の組込み型加熱調理器の要部断面図
【符号の説明】
【００３２】
１  誘導加熱調理器
１ａ  誘導加熱装置
１ｂ  制御装置
１ｃ  冷却装置
２  本体
２ａ  取付フック
３  トッププレートユニット
４  アンダーフレーム
５  トッププレート
６  トップフレーム
７  フランジ部
８  折合部
９  キッチンカウンター
１０  外郭フランジ部
１１  カウンター開口段差面
２１  ネジ部
２２  前方支持軸
２３  カウンター底面
３１  後方支持軸
【図１】
2006300382.tif 000003
【図２】
2006300382.tif 000004
【図３】
2006300382.tif 000005
【図４】
2006300382.tif 000006